(57)【要約】      （修正有）【課題】高齢者や子供であっても、一人で五本指靴下又は五本指手袋を容易に履くことができる構造で、かつ製造コストが低減できる指分離補助具を提供する。【解決手段】指分離補助具１は、使用者の手又は足に手袋又は靴下を装着するための補助具であって、使用者の手のひら又は足裏を戴置する基台部１０と、基台部１０の一端から延設されて、指を保持する指保持部と、指を指保持部に保持したとき、隣接する指を離隔する指間離隔部と、を備えることを特徴とする。【選択図】図１
0003185309.tif 000002
【実用新案登録請求の範囲】
【請求項１】
使用者の手又は足に手袋又は靴下を装着するための補助具であって、
前記使用者の手のひら又は足裏を戴置する基台部と、
前記基台部の一端から延設されて、前記使用者の指を保持する指保持部と、
前記使用者の指を前記指保持部に保持したとき、隣接する指を離隔する指間離隔部と、
を備える指分離補助具。
【請求項２】
五本指靴下を使用者の足に装着するための補助具であって、
前記使用者の足裏を戴置する基台部と、
前記基台部の一端からつま先方向に延設されて、前記使用者の各足指を保持する親指保持部、人差し指保持部、中指保持部、薬指保持部及び小指保持部からなる足指保持部と、
前記使用者の各足指を前記足指保持部に保持したとき、隣接する足指を離隔する指間離隔部と、
を備える指分離補助具。
【請求項３】
手袋を使用者の手に装着するための補助具であって、
前記使用者の手のひらを戴置する基台部と、
前記基台部の一端から指先方向に延設されて、前記使用者の各手指を保持する親指保持部、人差し指保持部、中指保持部、薬指保持部及び小指保持部からなる手指保持部と、
前記使用者の各手指を前記手指保持部に保持したとき、隣接する手指を離隔する指間離隔部と、
を備える指分離補助具。
【請求項４】
前記指間離隔部は、前記親指保持部と前記人差し指保持部との隣接区域、前記人差し指保持部と前記薬指保持部との隣接区域、前記薬指保持部と前記小指保持部との隣接区域にそれぞれ上方突出し、隣接する指を所定の間隔で離隔することを特徴とする請求項１ないし３のいずれかに記載の指分離補助具。
【請求項５】
前記指間離隔部は、つけ根からつま先又は指先方向に高くなるように傾斜し中央からややつま先又は指先寄りで頂点となるような山型となるように構成していることを特徴とする請求項４に記載の指分離補助具。
【請求項６】
隣接する前記指保持部は段差があることを特徴とする請求項１ないし５のいずれかに記載の指分離補助具。
【請求項７】
前記基台部の両端に、前記指保持部と前記指間離隔部とを備えることを特徴とする請求項１ないし６のいずれかに記載の指分離補助具。
【請求項８】
樹脂により一体的に形成されていることを特徴とする請求項１ないし７のいずれかに記載の指分離補助具。
【考案の詳細な説明】
【技術分野】
【０００１】
本考案は、五本指靴下や五本指手袋を容易に装着することができる指分離補助具に関する。
【背景技術】
【０００２】
五本指靴下とは、手袋のように足先が分かれ、足指の一本一本を保持する指袋を備える靴下をいい、単に足指靴下と呼ばれることもある。足の指と指が接しないため、汗で足がむれることが軽減されて水虫の原因菌が繁殖しにくく水虫防止対策用として使用される。また、足指一本一本が自由に動くので足先が刺激され、血流の巡りが改善されることにより血行不良が解消される効果が認められ、冷え性対策として女性にも使用されることも多くなっている。さらに、外反母趾や偏平足の矯正としての使用や、踏ん張りが効くということから、力仕事・スポーツ用としての使用のみならず、高齢者に多い捻挫や転倒を防止する靴下としても注目されている。しかしながら、五本指靴下の着用時に、各指を靴下の指袋内に入れるのは、大変な手間がかかるという欠点がある。握力が低下した高齢者や子供にとって、五本指靴下の装着は特に大変で、健康によいとはわかってはいても敬遠されることが多い。
【０００３】
また、五本指の手袋についても、半身不随者や負傷、骨折などで片手が不自由な者にとって、利き腕によって不自由な方の手に手袋を装着することはできるものの、利き腕側の手に手袋を装着することは非常に困難である。
【０００４】
五本指靴下用の装着支援器具として、特許文献１に係る考案や特許文献２に係る発明がある。特許文献１に係る考案は、長さ１２０ｍｍから３００ｍｍ、幅５０ｍｍから１５０ｍｍ、厚さ２ｍｍから２０ｍｍの大きさを有し、木もしくは竹等の植物類、あるいは各種プラスチック類もしくは各種繊維補強素材類、各種金属類、各種パルプ加工材を素材とした、靴下装着用補助具であって、一枚の靴下装着補助具の両面を右足用と左足用と使い分けることで左右の靴下を自力で装着することが可能となる靴下装着用補助具を提案している。特許文献２に係る発明は、棒状スポンジの先端部を細くし、半面に切り込みを設け、持ち手部分になるスポンジ間を接着し固定する。その上から手袋を設け手間なく履きやすくすることを特徴とする５本指靴下を履く補助具を提案している。
【０００５】
従来の手袋装着支援具としては、下記特許文献３ないし１０が手袋装着支援具を提案している。
【先行技術文献】
【特許文献】
【０００６】
【特許文献１】実用新案登録第３１５３１００号公報
【特許文献２】特開２０１０―１０４７５３号公報
【特許文献３】特開２０１１−５２３６４号公報
【特許文献４】特開２００４―２２９８７２号公報
【特許文献５】特開２００２―２２４１３９号公報
【特許文献６】特開２００１―６４８１１号公報
【特許文献７】特開平１０―１０８８７０号公報
【特許文献８】特開平１０―２０３号公報
【特許文献９】特開平７―２６８７０７号公報
【特許文献１０】実登３０１５６５３号公報
【考案の概要】
【考案が解決しようとする課題】
【０００７】
ところが、特許文献１に係る靴下装着用補助具は、該補助具の各指先と五本指靴下の各指袋との位置関係が一致するようにしたものであり、使用者の隣接する足指が離間するような構造とはなっていない。特許文献２に係る補助具は、部材がスポンジであるため、使用の際スポンジが千切れ易いという問題があった。また、特許文献３ないし１０に係る手袋装着支援具は、天然ゴム、合成ゴムまたは合成樹脂からなる伸縮性を有する手袋の装着装置に関するものであり、木綿や皮革の手袋に適用できない上、装置がおおがかりで複雑な構造であるため、家庭での使用や外出先で携帯使用に適していない。本考案は、このような問題に鑑み、高齢者や子供であっても、一人で五本指靴下を容易に履くことができる構造でかつ製造コストが低減できる指分離補助具、さらに、半身不随者や負傷、骨折などで片手が不自由な者が自らの手で容易に利き腕側の手に手袋の装着を行える構造でかつ製造コストが低減できる指分離補助具を提案することを課題とする。
【課題を解決するための手段】
【０００８】
本考案に係る指分離補助具は、使用者の手又は足に手袋又は靴下を装着するための補助具であって、使用者の手のひら又は足裏を戴置する基台部と、基台部の一端から延設されて、指を保持する指保持部と、指を指保持部に保持したとき、隣接する指を離隔する指間離隔部と、を備えることを特徴とする。また、本考案に係る指分離補助具は、五本指靴下を使用者の足に装着するための補助具であって、使用者の足裏を戴置する基台部と、基台部の一端からつま先方向に延設されて、使用者の各足指を保持する親指保持部、人差し指保持部、中指保持部、薬指保持部及び小指保持部からなる足指保持部と、使用者の各足指を足指保持部に保持したとき、隣接する足指を離隔する指間離隔部と、を備える指分離補助具であってよい。さらに、手袋を使用者の手に装着するための補助具であって、使用者の手のひらを戴置する基台部と、基台部の一端から指先方向に延設されて、手袋の各指袋を保持する親指保持部、人差し指保持部、中指保持部、薬指保持部及び小指保持部からなる手指保持部と、使用者の各手指を手指保持部に保持したとき、隣接する手指を離隔する指間離隔部と、を備える指分離補助具であってもよい。
【０００９】
指間離隔部は、親指保持部と人差し指保持部との隣接区域、人差し指保持部と薬指保持部との隣接区域、薬指保持部と小指保持部との隣接区域にそれぞれ上方突出し、隣接する指を所定の間隔で離隔するようにするとよい。また、指間離隔部は、つけ根からつま先又は指先方向に高くなるように傾斜し中央からややつま先寄り又は指先寄りで頂点となるような山型となるように構成すると、五本指靴下や五本指手袋の脱着が容易になる。さらに、隣接する指保持部に段差があると、隣接する指を容易に離隔することができる。
【００１０】
なお、基台部の両端に、指保持部と指間離隔部とを備えるように構成すると、一つの指分離補助具の片面で両足又は両手の五本指靴下又は五本指手袋を装着することができる。また、指分離補助具は樹脂により一体的に形成されるとコストを低減でき、好適である。
【考案の効果】
【００１１】
本考案に係る指分離補助具によれば、指間離隔部によって、隣接する指の間を確実に広げるように構成しているので、足や手の各指を五本指靴下又は五本指手袋の指袋に収容することが容易にできる。また、指間離隔部の形状はなだらかな山型で形成されているので、五本指靴下や五本指手袋の脱着が容易となる。
【図面の簡単な説明】
【００１２】
【図１】本考案の実施例１に係る指分離補助具の全体構成を示す斜視図である。
【図２】図１に係る指分離補助具を示す平面図（ａ）、右側面図（ｂ）、平面図（ｃ）である。
【図３】本考案の実施例１に係る指分離補助具の使用手順を示す図である。
【図４】本考案の実施例２に係る指分離補助具を示す右側面図である。
【図５】本考案の実施例３に係る指分離補助具の全体構成を示す斜視図である。
【考案を実施するための形態】
【００１３】
以下、本考案の実施例を図面に基づき詳細に説明する。実施例１ないし３は、五本指靴下用の指分離補助具に関するものである。実施例４は、五本指手袋用の指分離補助具に関するものであるが、五本指靴下用の指分離補助具と大きさや形状に足と手という違いはあるものの、構造が同一であるので重複する説明は省略する。各図において、同一部分には同一番号を付し、重複する説明は省略する。また、図面は、本考案を理解するために誇張して表現している場合もあり、必ずしも縮尺どおり精緻に表したものではないことに留意されたい。なお、本考案は下記に示される実施例に限られるものではない。
【実施例１】
【００１４】
前述したとおり、実施例１に係る指分離補助具１は、五本指靴下用の補助具である。実施例１を図面を参照して詳細に説明する。図１は、本考案の実施例１に係る指分離補助具１の全体構成を示す斜視図である。また、図２は、図１に係る指分離補助具１を示す平面図（ａ）、右側面図（ｂ）、平面図（ｃ）である。
【００１５】
まず、指分離補助具１の全体構成を説明する。図１に示すとおり、指分離補助具１は、大別すると、使用者の足裏を戴置する基台部１０と、基台部１０の一端からつま先方向に延設されて、使用者の各指を保持する親指保持部１１ａ、人差し指保持部１１ｂ、中指保持部１１ｃ、薬指保持部１１ｄ及び小指保持部１１ｅからなる足指保持部１１と、使用者の足の各指を前記足指保持部１１に保持したとき、隣接する足指を離隔する指間離隔部１２とを備える。
【００１６】
基台部１０は、使用者の足裏を戴置するような大きさと形状を有する。足指保持部１１は、使用者の足指を保持するような大きさと形状を有する。すなわち、親指保持部１１ａは使用者の足の親指を保持するような大きさと形状であり、人差し指保持部１１ｂは使用者の足の人差し指を保持するような大きさと形状であり、中指保持部１１ｃは使用者の足指の中指を保持するような大きさと形状であり、薬指保持部１１ｄは使用者の足指の薬指を保持するような大きさと形状であり、小指保持部１１ｅは使用者の足指の小指を保持するような大きさと形状を有する。なお、基台部１０及び足指保持部１１の大きさは、利用者の足の大きさに合わせて、調整する。すなわち、大人用、子供用、男性用、女性用それぞれについてサイズのバリエーションを設定することができる。
【００１７】
指間離隔部１２は、それぞれ親指保持部１１ａと人差し指保持部１１ｂとの間に指間離隔部１２ａ、人差し指保持部１１ｂと中指保持部１１ｃとの間に指間離隔部１２ｂ、中指保持部１１ｃと薬指保持部１１ｄとの間に指間離隔部１２ｃ、薬指保持部１１ｄと小指保持部１１ｅとの間に指間離隔部１２ｄを備える。図２（ａ）に示すとおり、親指保持部１１ａと人差し指保持部１１ｂとの間には切れ込み１３ａ、人差し指保持部１１ｂと中指保持部１１ｃとの間には切れ込み１３ｂ、中指保持部１１ｃと薬指保持部１１ｄとの間には切れ込み１３ｃ、薬指保持部１１ｄと小指保持部１１ｅとの間には切れ込み１３ｄを備えている。図２（ｂ）も参照すると、指間離隔部１２ａは、人差し指保持部１１ｂにおける切れ込み１３ａに隣接する位置に指のつけ根からつま先方向に上方突出している。同様に、指間離隔部１２ｂは中指保持部１１ｃにおける切れ込み１３ｂに隣接する位置に、指間離隔部１２ｃは薬指保持部１１ｄにおける切れ込み１３ｃに隣接する位置に、指間離隔部１２ｄは小指保持部１１ｅにおける切れ込み１３ｄに隣接する位置に、それぞれ指のつけ根からつま先方向に上方突出している。なお、図２（ｃ）に示すとおり、各指間離隔部１２ａ、１２ｂ、１２ｃ、１２ｄは、正面視において、つけ根からつま先方向に高くなるように傾斜し中央からややつま先寄りで頂点となるような山型となるように構成すると、五本指靴下Ｓの着脱を容易にすることができる。
【００１８】
指分離補助具１は、ポリアセタール等の樹脂により一体的に形成するとよい。また、３Ｄプリンタにより形成してもよい。なお、図１及び２は右足用の指分離補助具１を示しており、左足用は示していないが、左右対称であり、説明を省略する。
【００１９】
次に、実施例１の指分離補助具１を使用して、五本指靴下Ｓを履く手順を説明する。
【００２０】
図３を参照する。図３は、本考案の実施例１に係る指分離補助具１の使用手順を示す図である。図３（ａ）に示すように、まず、使用者は、五本指靴下Ｓを広げて、開口部Ｏを指分離補助具１のつま先に被せる。そして、五本指靴下Ｓの親指袋Ｆ１、人差し指袋Ｆ２、中指袋Ｆ３、薬指袋Ｆ４、小指袋Ｆ５を、それぞれ指分離補助具１の親指保持部１１ａ、人差し指保持部１１ｂ、中指保持部１１ｃ、薬指保持部１１ｄ及び小指保持部１１ｅに被せる。そうすると、五本指靴下Ｓを装着した状態で、隣接する足指保持部１１の境界に上方突出する指間離隔部１２により、五本指靴下Ｓの開口部Ｏは、拡径した状態を維持することができる。五本指靴下Ｓを装着した指分離補助具１を床に置く。次に、図３（ｂ）に示すとおり、使用者は、足Ｆを指分離補助具１の基台部１０に戴置しながら、足のつま先を足指保持部１１に挿入させる。すなわち、親指は親指保持部１１ａに、人差し指は人差し指保持部１１ｂに、中指は中指保持部１１ｃに、薬指は薬指保持部１１ｄに、小指は小指保持部１１ｅに収容する。図３（ｃ）は、足を指分離補助具１に挿入した状態の側面図である。図３（ｃ）に示すとおり、五本指靴下Ｓが足の土踏まず部分あたりまで装着されている。この状態において、使用者は手で基台部１０の後端を把持し矢印方向に引くと、指分離補助具１は足裏から外れる。最後に、使用者が五本指靴下Ｓの開口部Ｏを足の上方に引き上げると、図３（ｄ）に示すとおり、五本指靴下Ｓの装着が終了する。左足への五本指靴下Ｓの装着も手順は同様であり、省略する。
【実施例２】
【００２１】
実施例２を図面を参照して詳細に説明する。
【００２２】
図４は、本考案の実施例２に係る指分離補助具２を示す右側面図である。実施例１では、各足指保持部１１ａ、１１ｂ、１１ｃ、１１ｄ、１１ｅは互いにフラットで段差はないが、実施例２では、隣接する足指保持部２１ａ、２１ｂ、２１ｃ、２１ｄ、２１ｅにおいて段差があることを特徴とする。図４を参照すると、親指保持部２１ａよりも人差し指保持部２１ｂがつま先において高くなっており、中指保持部２１ｃは人差し指保持部２１ｂよりもつま先において低く、薬指保持部２１ｄは人差し指保持部２１ｂよりもつま先において高く、さらに小指保持部２１ｅは薬指保持部２１ｄよりも低くなるように構成している。すなわち、親指保持部２１ａと中指保持部２１ｃと小指保持部２１ｅはつけ根からつま先方向に平坦に構成され、人差し指保持部２１ｂと薬指保持部２１ｄとはつけ根からつま先にかけて高くなるように傾斜するように構成されている。なお、人差し指保持部２１ｂと薬指保持部２１ｄはつけ根からつま先方向に平坦に構成され、親指保持部２１ａと中指保持部２１ｃと小指保持部２１ｅはつけ根からつま先にかけて高くなるように傾斜するように構成されてもよい。また、隣接する足指保持部２１をつけ根からつま先に低く傾斜するように構成してもよい。さらに、隣接する足指保持部２１の段差を一方の傾斜を低く他方を高くするように構成してもよい。このような構成にすることにより、足指が離隔しやすくなる。実施例１と実施例２の差異は、段差の有無のみの違いであり、これ以外は実質的に同一であるため、五本指靴下Ｓを履く手順も実施例１で説明した手順とほぼ同様であるので説明は省略する。
【実施例３】
【００２３】
実施例３を図面を参照して詳細に説明する。
【００２４】
図５は、本考案の実施例３に係る指分離補助具３の全体構成を示す斜視図である。本考案の実施例３に係る指分離補助具３は、実施例１に係る指分離補助具１の右用と左用を一体的に形成したものといえる。すなわち、図５に示すとおり、指分離補助具３の中央に使用者の足底と踵を戴置する基台部３０と、その両端に使用者の右足と左足の各足指に対応するつま先部分を備える。右足用としては、親指保持部３１１ａ、人差し指保持部３１１ｂ、中指保持部３１１ｃ、薬指保持部３１１ｄ及び小指保持部３１１ｅからなる足指保持部３１１と、使用者の足の各指を前記足指保持部３１１に保持したとき、足指を離隔する指間離隔部３２１とを備える。また、左足用としては、親指保持部３１２ａ、人差し指保持部３１２ｂ、中指保持部３１２ｃ、薬指保持部３１２ｄ及び小指保持部３１２ｅからなる足指保持部３１２と、使用者の足の各指を前記足指保持部３１２に保持したとき、足指を離隔する指間離隔部３２２とを備える。本考案の実施例１に係る指分離補助具１においては、右足用と左足用の両方を別々に製作する必要があるが、実施例３に係る指分離補助具３は、上面に図５の右側に示す右足用と左側に示す左足用が形成されているので、コスト的にも軽減でき、使用者にも便利な構成となっている。
【実施例４】
【００２５】
実施例４に係る指分離補助具４は、五本指手袋用の補助具である。なお、実施例４に係る指分離補助具４は図に示していない。実施例１に係る指分離補助具１に係る図１ないし２を参照しながら、符号の１０番代を４０番代に置き換えることにより理解されたい。指分離補助具４の全体構成を説明する。指分離補助具４は、大別すると、使用者の手のひらを戴置する基台部４０と、基台部４０の一端から指先方向に延設されて、使用者の各手指を保持する親指保持部４１ａ、人差し指保持部４１ｂ、中指保持部４１ｃ、薬指保持部４１ｄ及び小指保持部４１ｅからなる手指保持部４１と、使用者の手Ｈの各手指を前記手指保持部４１に保持したとき、隣接する手指を離隔する指間離隔部４２とを備える。
【００２６】
基台部４０は、使用者の手のひらを戴置するような大きさと形状を有する。手指保持部４１は、使用者の手指を保持するような大きさと形状を有する。すなわち、親指保持部４１ａは使用者の手の親指を保持するような大きさと形状であり、人差し指保持部４１ｂは使用者の手の人差し指を保持するような大きさと形状であり、中指保持部４１ｃは使用者の手指の中指を保持するような大きさと形状であり、薬指保持部４１ｄは使用者の手指の薬指を保持するような大きさと形状であり、小指保持部４１ｅは使用者の手指の小指を保持するような大きさと形状を有する。なお、基台部４０及び足指保持部４１の大きさは、利用者の手の大きさに合わせて、調整するとよい。
【００２７】
指間離隔部４２は、それぞれ親指保持部４１ａと人差し指保持部４１ｂとの間に指間離隔部４２ａ、人差し指保持部４１ｂと中指保持部４１ｃとの間に指間離隔部４２ｂ、中指保持部４１ｃと薬指保持部４１ｄとの間に指間離隔部４２ｃ、薬指保持部４１ｄと小指保持部４１ｅとの間に指間離隔部４２ｄを備える。また、親指保持部４１ａと人差し指保持部４１ｂとの間には切れ込み４３ａ、人差し指保持部４１ｂと中指保持部４１ｃとの間には切れ込み４３ｂ、中指保持部４１ｃと薬指保持部４１ｄとの間には切れ込み４３ｃ、薬指保持部４１ｄと小指保持部４１ｅとの間には切れ込み４３ｄを備えている。指間離隔部４２ａは、人差し指保持部４１ｂにおける切れ込み４３ａに隣接する位置に指のつけ根から指先方向に上方突出している。同様に、指間離隔部４２ｂは中指保持部４１ｃにおける切れ込み４３ｂに隣接する位置に、指間離隔部４２ｃは薬指保持部４１ｄにおける切れ込み４３ｃに隣接する位置に、指間離隔部４２ｄは小指保持部４１ｅにおける切れ込み４３ｄに隣接する位置に、それぞれ指のつけ根から指先方向に上方突出している。なお、各指間離隔部４２ａ、４２ｂ、４２ｃ、４２ｄは、正面視において、つけ根から指先方向に高くなるように傾斜し中央からやや指先寄りで頂点となるような山型となるように構成すると、五本指手袋Ｇの着脱を容易にすることができる。
【００２８】
以上、本考案に係る指分離補助具における好ましい実施形態を図示して説明してきたが、本考案の技術的範囲を逸脱することなく種々の変更が可能であることは理解されるであろう。
【産業上の利用可能性】
【００２９】
本考案に係る指分離補助具は、五本指靴下を高齢者や障害者が一人で容易に履くことができる家庭用として広く利用することができる。また、大きさを手の大きさに調整すれば、手に障害を有する障害者や高齢者のための、手袋装着補助具としても使用することができる。
【符号の説明】
【００３０】
１  ２  ３  ４  指分離補助具
１０  ２０  ３０  ４０  基台部
１１  ２１  ３１１  ３１２  ４１  指保持部
１２  ２２  ３２１  ３２２  ４２  指間離隔部
Ｓ  五本指靴下
Ｆ  足
Ｇ  五本指手袋
Ｈ  手
【図１】
0003185309.tif 000003
【図２】
0003185309.tif 000004
【図３】
0003185309.tif 000005
【図４】
0003185309.tif 000006
【図５】
0003185309.tif 000007